(57)【要約】【課題】簡便な方法にて所定量の液晶を基板上に転写できるため、安価で生産性の高い。【解決手段】一対の基板の一方にシール剤と液晶を挟持し、一対の基板の間にシール剤と液晶を介在して貼り合わせる液晶表示装置の製造方法であり、貼り合わせる際に、一方の基板に対して液晶を、多孔質材を介して転写する。【選択図】図４
2010117732.tif 000002
【特許請求の範囲】
【請求項１】
一対の基板の一方にシール剤と液晶を挟持し、
一対の基板の間にシール剤と液晶を介在して貼り合わせる液晶表示装置の製造方法であり、
前記貼り合わせる際に、一方の基板に対して液晶を、多孔質材を介して転写することを特徴とする液晶表示装置の製造方法。
【請求項２】
前記基板に対して液晶を、多孔質材を介して転写後、液晶周囲にシール剤が配置されることを特徴とする請求項１に記載の液晶表示装置の製造方法。
【請求項３】
一方の基板に対して液晶を、多孔質材を介して転写後、液晶周囲にシール剤が配置されるように他方の基板の所定位置にシール剤を塗布することを特徴とする請求項１に記載の液晶表示装置の製造方法。
【請求項４】
一対の基板の一方にシール剤と液晶を挟持し、
一対の基板の間にシール剤と液晶を介在して貼り合わせる液晶表示装置の製造装置であり、
前記一方の基板に対して液晶を、多孔質材を介して転写する貼合手段を備えることを特徴とする液晶表示装置の製造装置。
【請求項５】
前記貼合手段は、前記基板に対して液晶を、多孔質材を介して転写後、液晶周囲にシール剤が配置されることを特徴とする請求項４に記載の液晶表示装置の製造装置。
【請求項６】
前記貼合手段は、一方の基板に対して液晶を、多孔質材を介して転写後、液晶周囲にシール剤が配置されるように他方の基板の所定位置にシール剤を塗布することを特徴とする請求項４に記載の液晶表示装置の製造装置。
【発明の詳細な説明】
【技術分野】
【０００１】
この発明は、両方の基板同士をシール剤及び液晶を介在して貼り合わせる液晶表示装置の製造方法及びその製造装置に関する。
【背景技術】
【０００２】
液晶表示装置は、一般に、一対の基板間に液晶を封入した構造であり、この液晶表示装置に、バックライト等といった照明装置や液晶駆動用ＩＣ等といった付加機器を付設することによって使用される。
【０００３】
この液晶表示装置は、例えば少なくとも一方が可撓性フィルム基板であるセル組立工程において、少なくとも一方の基板にシール剤を付与し、その枠内に配置されるよう少なくとも一方の基板に液晶を付与し、両方の基板同士をシール剤及び液晶を介在し貼り合わせるものがある（特許文献１参照）。
【先行技術文献】
【特許文献】
【０００４】
【特許文献１】特開２００４−２７２０８７号公報（第２頁）
【発明の概要】
【発明が解決しようとする課題】
【０００５】
このように両方の基板同士をシール剤及び液晶を介在し貼り合わせる液晶表示装置の製造では、基板が枚葉であったり、或いはバッチ処理プロセスが主流であり、連続して製造することができず生産性が悪い。
【０００６】
また、例えば可撓性長尺ロールの基板同士の場合、貼り合わせの位置ズレが生じると、この位置ズレが累積し、液晶表示装置のセル化後の性能が悪化する。
【０００７】
この発明は、前述の実情に鑑みてなされたもので、簡便な方法にて所定量の液晶を基板上に転写できるため、安価で生産性の高い液晶表示装置の製造方法及びその製造装置を提供すること
を目的とする。
【課題を解決するための手段】
【０００８】
前記課題を解決するために、この発明は、一対の基板の一方にシール剤と液晶を挟持し、一対の基板の間にシール剤と液晶を介在して貼り合わせる液晶表示装置の製造方法であり、前記貼り合わせる際に、一方の基板に対して液晶を、多孔質材を介して転写するものである。このように、簡便な方法にて所定量の液晶を基板上に転写できるため、安価で生産性の高い液晶表示装置を提供できる。
【０００９】
また、前記基板に対して液晶を、多孔質材を介して転写後、液晶周囲にシール剤が配置されるものであり、また、一方の基板に対して液晶を、多孔質材を介して転写後、液晶周囲にシール剤が配置されるように他方の基板の所定位置にシール剤を塗布するものである。これにより、液晶がシール剤により確実に保持される。
【図面の簡単な説明】
【００１０】
【図１】参考例における液晶表示装置の製造装置の概略側面図である。
【図２】下基板の位置合わせ用のアライメントマークを示す図である。
【図３】位置合わせ後の貼り合わせ状態を示す図である。
【図４】この発明の液晶付着手段の使用前を示す図である。
【図５】液晶付着手段の使用後を示す図である。
【図６】液晶にシール剤を配置する実施の形態を示す図である。
【図７】液晶にシール剤を配置する他の実施の形態を示す図である。
【発明を実施するための形態】
【００１１】
以下、この発明の液晶表示装置の製造方法及びその製造装置の実施の形態を、図面に基づいて詳細に説明する。また、この発明の実施の形態は、発明の最も好ましい形態を示すものであり、この発明は、これに限定されない。
【００１２】
図１は、参考例における液晶表示装置の製造装置の概略側面図である。
【００１３】
この参考例は、一対の基板の一方にシール剤と液晶を挟持し、一対の基板の間にシール剤と液晶を介在して貼り合わせるものであり、下基板搬送手段１、上基板搬送手段２、シール剤液晶付着手段３、貼合手段４を備える。
【００１４】
下基板搬送手段１は、巻き出し装置１０から下基板６をニップロール１１により巻き出す。この下基板６は長尺ロール状の可撓性樹脂フィルムの基板である。上基板搬送手段２は、巻き出し装置２０から上基板７をニップロール２１により巻き出す。この上基板７も長尺ロール状の可撓性樹脂フィルムの基板である。
【００１５】
シール剤液晶付着手段３は、サクションユニット３０と、付着ユニット３１と、を有する。サクションユニット３０は、下基板６の下側に配置され、下基板６を吸着して移動し、下基板６を位置ヅレなく搬送する。付着ユニット３１は、下基板６の上側に配置され、下基板６に液晶を付着し、この液晶上にシール剤を塗布して液晶を挟持する。
【００１６】
貼合手段４は、一対の基板の間にシール剤と液晶を介在して貼り合わせるもので、位置決め手段４０と、ハーフカットユニット４１と、加熱ユニット４２と、フィードユニット４３とを有する。
【００１７】
位置決め手段４０は、下側可動ステージ４１ａと、上側可動ステージ４１ｂとを有する。下側可動ステージ４１ａと上側可動ステージ４１ｂは、基板を吸着固定可能に構成され、基板の少なくとも一方を吸着固定して位置合わせを行うことができる。
【００１８】
ハーフカットユニット４２は、貼り合わせ後、任意位置にて一方の下基板６のみを切断して分断し、再度両方の下基板６と上基板７の位置合わせを繰り返す。一方の基板である下基板６は、予め分断されたシートであってもよくシート切断手段が不要である。
【００１９】
下基板６には、図２に示すように、位置合わせ用のアライメントマーク８が設けられている。この位置合わせ用のアライメントマーク８は、貼り合わせる任意長さＬ毎の基板のほぼ中央部に配置されている。
【００２０】
上側可動ステージ４１ｂには、アライメントユニット４１ｃが備えられている。このアライメントユニット４１ｃは、図２に示す下基板６のアライメントマーク８を検出し、上基板７に対して下基板６が所定位置になるように下側可動ステージ４１ａを移動して下基板６と上基板７の位置合わせを行う。下基板６のほぼ中央部のアライメントマーク８を基準にして位置合わせをすることで、位置合わせの精度が向上する。
【００２１】
この下基板６と上基板７の位置合わせは、下側可動ステージ４１ａに限らず上側可動ステージ４１ｂを移動して行ってもよく、少なくとも一方の移動によって位置補正が可能である。基板の少なくとも一方を位置補正可能な可動ステージに吸着固定して位置合わせを行うものであり、確実な位置合わせを行うことができる。
【００２２】
このように、貼り合わせる際に、一方の上基板７に対して他方の下基板６の貼合位置合わせを任意の長さ毎に行う。上基板７に他方の下基板６を連続して貼り合わせることで生産性が向上し、しかも貼り合わせる際に貼合位置合わせを任意の長さ毎に行うことで累積による位置ズレを防止することができる位置合わせ後、図３に示すように、上側可動ステージ４１ｂの搬送方向下流側４１ｂ１を下側可動ステージ４１ａの搬送方向下流側４１ａ１の方向へ移動する。これにより、下基板６に対して他方の上基板７を接触して所定角度θを形成し、下基板６と上基板７を搬送する。この搬送によって、下基板６と上基板７の接触点Ｂから順次貼り合わせる。これにより、下基板６と他方の上基板７の接触点Ｂから気泡が混入することなく順次貼り合わせることができる。
【００２３】
また、貼り合わせ後、図１に示すように、任意位置にて一方の下基板６のみを幅方向に切断して分断し、再度両方の基板の位置合わせを繰り返す。これにより、両方の基板の位置ズレをより確実に防止することができる。
【００２４】
この貼合手段４は真空チャンバー９の中に配置され、減圧状態で貼り合わせるようになっている。減圧状態で貼り合わせることで、貼り合わせの気泡の混入を防止することができる。尚、真空チャンバー９は少なくとも位置合わせをして貼る部分に設ければ良い。
【００２５】
加熱ユニット４２は、ハーフカットユニット４１に対して搬送方向下流側に配置され、下基板６と上基板７を加熱して貼り合わせる。この加熱は、液晶が具備される少なくとも一方の下基板６を加熱して貼り合わせるものであればよい。加熱することで液晶に混入する気泡を抜き、あるいは柔らかくして貼り合わせ易くすることができる。
【００２６】
フィードユニット４３は、搬送ローラなどで構成され、貼り合わされた液晶表示装置のセルを次の工程へ搬送する。
【００２７】
次に、この発明の実施の形態を図４乃至図７に基づいて説明する。図４は液晶付着手段の使用前を示し、図５は液晶付着手段の使用後を示している。また、図６は液晶にシール剤を配置する実施の形態を示し、図７は液晶にシール剤を配置する他の実施の形態を示す図である。
【００２８】
この実施の形態では、図４及び図５に示すように、液晶付着手段３３は箱型本体３３ａの内部に液晶貯留部３３ｂと多孔質材３３ｃが内臓され、弾性体３３ｄによって液晶貯留部３３ｂを介して多孔質材３３ｃが箱型本体３３ａから出ている構造である。液晶貯留部３３ｂの内部には液晶が貯留され、この液晶が多孔質材３５に供給可能になっている。また、多孔質材３５は、予め柔軟性のある連続気泡を有する部材から構成され、液晶貯留部３３ｂから供給された液晶が染み出るように構成したスタンプ状のものである。
【００２９】
図４に示すように、液晶付着手段３３の多孔質材３３ｃを下基板６に押し付けると、図５に示すように、下基板６に対して液晶Ｃが多孔質材３３ｃを介して転写される。
【００３０】
この下基板６に対して液晶Ｃを、多孔質材３３ｃを介して転写後、図６に示すように、液晶周囲にシール剤Ｄが配置される。
【００３１】
また、図７に示すように、液晶周囲にシール剤Ｄが配置されるように他方の上基板７の所定位置にシール剤Ｄを塗布し、下基板６と上基板７とを貼り合わせるときに液晶周囲にシール剤Ｄが配置される。これにより、液晶Ｃがシール剤Ｄにより確実に保持される。
【００３２】
この発明では、予め柔軟性のある多孔質材３３ｃから液晶が染み出るように構成したスタンプ状の液晶付着手段３３を介して一方の基板上の所定位置に液晶Ｃを連続的に転写し、転写した液晶Ｃの周囲にシール剤Ｄが配置するよう同一或いはもう一方の基板にシール塗布し、大気圧下で連続的に基板同士を搬送方向から貼り合わせる。簡便な方法にて所定量の液晶を基板上に転写できるため、安価で生産性の高い液晶表示装置を提供できる。
【産業上の利用可能性】
【００３３】
この発明は、一対の基板の一方にシール剤と液晶を挟持し、一対の基板の間にシール剤と液晶を介在して貼り合わせに利用可能であり、簡便な方法にて所定量の液晶を基板上に転写できるため、安価で生産性の高い。
【符号の説明】
【００３４】
１  下基板搬送手段
２  下基板搬送手段
３  シール剤液晶付着手段
４  貼合手段
６  下基板
７  上基板
Ｃ  液晶
Ｄシール剤
【図１】
2010117732.tif 000003
【図２】
2010117732.tif 000004
【図３】
2010117732.tif 000005
【図４】
2010117732.tif 000006
【図５】
2010117732.tif 000007
【図６】
2010117732.tif 000008
【図７】
2010117732.tif 000009